(57)【要約】      （修正有）【課題】構造が簡単で、しかも優れた清掃性能を確保できる乗客コンベアのステップ清掃装置の提供。【解決手段】ステップ２等の循環走行区間のうちの乗客を載置する走行区間を除く戻り側走行区間に配置され、ステップ２等の走行方向先端部２ｂが当接可能な短手部３ａ、及びこの短手部３ａがステップ２等の走行によってステップ２等に押圧されることに伴って回動し、ステップ２等の乗客載置面２ａ等を叩打する長手部３ｂを含むＬ字状レバー３と、このＬ字状レバー３を回動自在に保持する軸部５と、この軸部５を支持し、エスカレータ底部１に固定される一対の支持板４ａとを備えている。さらに、長手部３ｂをステップ２等の乗客載置面２ａ等から離れる方向に付勢可能なばね部材６も備えている。【選択図】図１
2012006676.tif 000002
【特許請求の範囲】
【請求項１】
乗客を載置して乗降口間を循環走行するステップを有する乗客コンベアに備えられる乗客コンベアのステップ清掃装置において、
前記ステップの循環走行区間のうちの乗客を載置する走行区間を除く戻り側走行区間に配置され、
前記ステップの走行方向先端部が当接可能な短手部、及びこの短手部が前記ステップの走行によって前記ステップに押圧されることに伴って回動し、前記ステップの乗客載置面を叩打する長手部を含む回動部材と、この回動部材を回動自在に保持する軸部と、この軸部を支持し、所定箇所に固定される支持体とを備えたことを特徴とする乗客コンベアのステップ清掃装置。
【請求項２】
請求項１に記載の乗客コンベアのステップ清掃装置において、
前記回動部材は、前記短手部と前記長手部とによって形成されるＬ字状レバーから成り、
このＬ字状レバーの前記短手部と、前記長手部との連結部に前記軸部を取り付けたことを特徴とする乗客コンベアのステップ清掃装置。
【請求項３】
請求項２に記載の乗客コンベアのステップ清掃装置において、
前記長手部を前記ステップの前記乗客載置面から離れる方向に付勢可能なばね部材を備えたことを特徴とする乗客コンベアのステップ清掃装置。
【請求項４】
請求項１〜３のいずれか１項に記載の乗客コンベアのステップ清掃装置において、
前記短手部を構成要素として含み、この短手部が前記ステップの前記乗客載置面方向に対して伸縮するように駆動される伸縮部材を備えたことを特徴とする乗客コンベアのステップ清掃装置。
【発明の詳細な説明】
【技術分野】
【０００１】
本発明は、エスカレータ等の乗客コンベアに備えられ、ステップの乗客載置面の溝などに付着した砂、塵埃等を自動的に除去する乗客コンベアのステップ清掃装置に関する。
【背景技術】
【０００２】
図５は、特許文献１に示される従来のエスカレータのステップ清掃装置を示す斜視図である。
【０００３】
この図５に示される従来技術は、上下乗降口間を循環走行するステップの反転部に配置され、角型の基枠１１と、この基枠１１の背面側に立設される一対の支柱１２ａ，１２ｂと、これらの支柱１２ａ，１２ｂにそれぞれ取り付けられる一対の支持板１４ａ，１４ｂと、これらの支持板１４ａ，１４ｂに支持される支持軸１５とを備えている。支持軸１５の中央付近には、台座１３を介してモータや減速機などを収納した動力伝達機構１４が配置され、支持軸１５の両側方にはブラシ押動桿１５ａ，１５ｂが設けられている。動力伝達機構１４は押軸１７を介してブラシホルダ１６に接続してあり、ブラシホルダ１６にステップの乗客載置面を清掃する清掃ブラシ１８が取り付けられている。ブラシホルダ１６の両側には、ブラシ押動桿１５ａ，１５ｂによってガイドされるブラシガイドが取り付けられている。
【０００４】
この従来技術は、清掃に際して清掃ブラシ１８がステップの乗客載置面方向に押し出され、この清掃ブラシ１８の先端によってステップの乗客載置面に付着した砂、塵埃等の除去を行うようになっている。
【先行技術文献】
【特許文献】
【０００５】
【特許文献１】特開平０７−２７７６６３号公報
【発明の概要】
【発明が解決しようとする課題】
【０００６】
前述した従来技術では、ステップの乗客載置面の清掃に際し、乗客載置面に存在していた水分や粘着性の液体が清掃ブラシ１８に付着することがある。また、清掃ブラシ１８がステップの乗客載置面を摺動した際に発生する静電気が、清掃ブラシ１８に帯電することがある。これらの場合には、ステップの乗客載置面から除去した塵埃等が清掃ブラシ１８に付着したままの状態となる。このような状態にある清掃ブラシ１８で次のステップの乗客載置面の清掃が行われると、清掃ブラシ１８に付着していた塵埃等がステップの乗客載置面に再び付着してしまう。すなわち、従来技術にあっては、ステップの乗客載置面の清掃に際し清掃性能の低下を招く懸念がある。
【０００７】
また、従来技術にあっては、動力伝達機構１４を有することから、この従来技術に係るステップ清掃装置の定期的で大掛かりな点検、修理作業が必要となる。また、当該清掃装置の動力伝達機構１４の故障を生じる懸念がある。これらのことから、従来技術では、点検、修理、あるいは故障に伴うエスカレータの不稼動時間が長くなる虞がある。
【０００８】
さらに、従来技術は、角型の基枠１１や、モータ及び減速機を含む動力伝達機構１４を備えた大型の清掃装置となることから、部品数、部材数が多くなり、製作費が高くなりやすい。
【０００９】
本発明は、上述した従来技術における実状からなされたもので、その目的は、構造が簡単で、しかも優れた清掃性能を確保できる乗客コンベアのステップ清掃装置を提供することにある。
【課題を解決するための手段】
【００１０】
前記目的を達成するために、本発明に係る乗客コンベアのステップ清掃装置は、乗客を載置して乗降口間を循環走行するステップを有する乗客コンベアに備えられる乗客コンベアのステップ清掃装置において、前記ステップの循環走行区間のうちの乗客を載置する走行区間を除く戻り側走行区間に配置され、前記ステップの走行方向先端部が当接可能な短手部、及びこの短手部が前記ステップの走行によって前記ステップに押圧されることに伴って回動し、前記ステップの乗客載置面を叩打する長手部を含む回動部材と、この回動部材を回動自在に保持する軸部と、この軸部を支持し、所定箇所に固定される支持体とを備えたことを特徴としている。
【００１１】
このように構成した本発明は、戻り側走行区間に配置した状態でステップを循環走行させると、ステップの走行方向先端部が回動部材の短手部に当接し、この短手部が走行方向に押圧され、これに伴って回動部材の長手部がステップの乗客載置面方向に回動し、この長手部が乗客載置面を叩打する。この長手部の叩打によって乗客載置面に生じた振動で、乗客載置面に付着していた塵埃等を落下除去させることができる。このように本発明は、ステップの走行を動力として回動部材を回動させて清掃を行うことから、モータや減速機を含む動力伝達機構を要することなく簡単な構造でステップの乗客載置面を清掃することができる。また、回動部材の長手部をステップの乗客載置面に叩打させ、この叩打によって発生させた振動によって乗客載置面に付着した塵埃等を落下除去させるので、落下した塵埃等がステップの乗客載置面に再び付着する懸念が少なくなり、優れた清掃性能を確保することができる。
【００１２】
また本発明は、モータや減速機を含む動力伝達機構を要しない簡単な構造であるので、点検、修理を定期的に実施しなくても済み、また、故障を生じる虞が少なくなる。さらに本発明は、モータや減速機を含む動力伝達機構を要しない簡単な構造であるので、部品数、部材数を少なく抑えることができる。
【００１３】
また本発明は、前記発明において、前記回動部材は、前記短手部と前記長手部とによって形成されるＬ字状レバーから成り、このＬ字状レバーの前記短手部と、前記長手部との連結部に前記軸部を取り付けたことを特徴としている。このように構成した本発明は、回動部材が形状単純なＬ字状レバーから成るので、製作が簡単で実用性に富む。
【００１４】
また本発明は、前記発明において、前記長手部を前記ステップの前記乗客載置面から離れる方向に付勢可能なばね部材を備えたことを特徴としている。このように構成した本発明は、Ｌ字状レバーが回動してステップの乗客載置面を叩打し、ステップによる短手部に対する押圧が解かれた後、ばね部材の付勢力によってＬ字状レバーの長手部をステップの乗客載置面から離れる方向に回動させて、Ｌ字状レバーを瞬時に初期の待機姿勢に復帰させることができる。
【００１５】
また本発明は、前記発明において、前記短手部を構成要素として含み、この短手部が前記ステップの前記乗客載置面方向に対して伸縮するように駆動される伸縮部材を備えたことを特徴としている。
【００１６】
このように構成した本発明は、ステップの乗客載置面に対する清掃時には、伸縮部材を駆動させて短手部を伸長させ、ステップが短手部に当接するように短手部の位置を保てばよい。これにより、前述のようにステップの走行に伴って回動部材が回動し、長手部が乗客載置面を叩打して、この乗客載置面に付着した塵埃等の清掃を実施できる。
【００１７】
また本発明は、非清掃時には、伸縮部材を駆動させて短手部を収縮させ、短手部をステップの乗客載置面から離れる方向に後退させればよい。これにより、ステップが走行してもステップが短手部に当接することがない。したがって、回動部材が回動して長手部によってステップの乗客載置面が叩打されることがない。すなわち、非清掃時には長手部による叩打音を生じさせない環境に保つことができる。
【発明の効果】
【００１８】
本発明は、ステップの循環走行区間のうちの乗客を載置する走行区間を除く戻り側走行区間に配置され、ステップの走行方向先端部が当接可能な短手部、及びこの短手部がステップの走行によってステップに押圧されることに伴って回動し、ステップの乗客載置面を叩打する長手部を含む回動部材と、この回動部材を回動自在に保持する軸部と、この軸部を支持し、所定箇所に固定される支持体とを備えたことから、ステップの走行を動力として回動部材を回動させて清掃を行なうことができ、従来のようなモータや減速機を含む動力伝達機構を要することなく簡単な構造でステップの乗客載置面を清掃することができる。また、回動部材の長手部をステップの乗客載置面に叩打させて乗客載置面に振動を発生させ、この振動によって乗客載置面に付着した塵埃などを落下除去させるので、落下した塵埃等のステップの乗客載置面への再度の付着を少なくすることができ、優れた清掃性能を確保することができる。これにより、従来に比べて信頼性の高いステップ清掃装置を実現させることができる。
【００１９】
また本発明は、モータや減速機を含む動力伝達機構を要しない簡単な構造であるので、点検、修理を定期的に実施しなくても済み、また、故障を生じる虞が少なくなる。これらのことから、乗客コンベアの不稼動時間を従来に比べて短く抑えることができる。さらに本発明は、モータや減速機を含む動力伝達機構を要しない簡単な構造であるので、部品数、部材数を少なく抑えることができる。これにより、従来に比べて製作費を低減させることができる。
【図面の簡単な説明】
【００２０】
【図１】本発明に係る乗客コンベアのステップ清掃装置の第１実施形態を示す側面図である。
【図２】本発明に係る乗客コンベアのステップ清掃装置の第１実施形態を示す正面図である。
【図３】第１実施形態の動作を示す側面図で、（ａ）図は第１実施形態に備えられるＬ字状レバーの短手部にステップの走行方向先端部が当接した状態を示す図、（ｂ）図はＬ字状レバーの長手部がステップの乗客載置面を叩打した状態を示す図である。
【図４】本発明の第２実施形態を示す側面図である。
【図５】従来のエスカレータのステップ清掃装置を示す斜視図である。
【発明を実施するための形態】
【００２１】
以下、本発明に係る乗客コンベアのステップ清掃装置の実施の形態を図に基づいて説明する。
【００２２】
図１，２は本発明に係る乗客コンベアのステップ清掃装置の第１実施形態を示す図で、（ａ）図は側面図、（ｂ）図は正面図である。
【００２３】
これらの図１，２に示す第１実施形態に係るステップ清掃装置が備えられる乗客コンベアは、例えばエスカレータであり、乗客を載置して上下乗降口間を循環走行する複数のステップ２，７等を備えている。
【００２４】
第１実施形態に係るステップ清掃装置は、図１に示すように、ステップ２の循環走行区間のうちの乗客を載置する走行区間を除く戻り側走行区間に配置され、ステップ２等の乗客載置面２ａ等の走行方向先端部２ｂ等に当接可能な短手部３ａ、及びこの短手部３ａがステップ２等の走行によってステップ２等に押圧されることに伴って回動し、ステップ２等の乗客載置面２ａ等を叩打する長手部３ｂを含む回動部材、例えばＬ字状レバー３を備えている。
【００２５】
また、この第１実施形態は、Ｌ字状レバー３の短手部３ａと長手部３ｂとの連結部３ｃに取り付けられ、Ｌ字状レバー３を回動自在に保持する軸部５と、この軸部５を支持し、所定箇所例えばエスカレータ底部１に固定される支持体、例えば一対の支持板４ａ，４ｂとを備えている。さらに、下端をエスカレータ底部１側に係着され、上端をＬ字状レバー３の長手部３ｂに係着され、長手部３ｂをステップ２等の乗客載置面２ｂ等から離れる方向に付勢可能なばね部材６を備えている。
【００２６】
ステップ２等の乗客載置面２ａ等に対する清掃が実施される前の初期の待機姿勢にあっては、図１に示すように、Ｌ字状レバー３の短手部３ａが鉛直方向に立設した状態に保たれ、Ｌ字状レバー３の長手部３ｂが水平方向に延設するように保たれている。
【００２７】
図３は第１実施形態の動作を示す側面図で、（ａ）図は第１実施形態に備えられるＬ字状レバーの短手部にステップの走行方向先端部が当接した状態を示す図、（ｂ）図はＬ字状レバーの長手部がステップの乗客載置面を叩打した状態を示す図である。
【００２８】
前述した図１及び図３に示すように、第１実施形態に係るステップ清掃装置を戻り側走行区間に配置した状態で、ステップ２等を例えば矢印８，９に示す方向に循環走行させると、図３の（ａ）図に示すように、例えばステップ２の走行方向先端部２ｂがＬ字状レバー３の短手部３ａに当接し、この短手部３ａが走行方向に押圧される。これに伴って図３の（ｂ）図に示すように、Ｌ字状レバー３がばね部材６の付勢力に抗して回動し、このＬ字状レバー３の長手部３ｂがステップ２の乗客載置面２ａを叩打する。この長手部３ｂの叩打によって乗客載置面２ａに生じた振動で、この乗客載置面２ａに付着していた塵埃等を落下除去させることができる。
【００２９】
その後、ステップ２等の走行に伴って、Ｌ字状レバー３の短手部３ａに対するステップ２の押圧が解かれると、ばね部材６の付勢力によって、Ｌ字状レバー３が前述とは逆方向に回動し、初期の待機姿勢となる。次のステップ７の乗客載置面７ａに対する清掃も前述したステップ６におけるのと同様にして行われる。
【００３０】
このように第１実施形態に係るステップ清掃装置は、ステップ２等の走行を動力としてＬ字状レバー３を回動させて清掃を行うことから、モータや減速機を含む動力伝達機構を要することなく簡単な構造でステップ２等の乗客載置面２ａ等を清掃することができる。また、Ｌ字状レバー３の長手部３ｂによってステップ２等の乗客載置面２ａ等を叩打させ、この叩打によって発生させた振動によって乗客載置面２ａ等に付着した塵埃等を落下除去させるので、落下した塵埃等が次に走行して来るステップ７の乗客載置面７ａ等に付着する懸念が少なくなり、優れた清掃性能を確保することができる。これにより、信頼性の高いステップ清掃装置を実現させることができる。
【００３１】
また、この第１実施形態は、モータや減速機を含む動力伝達機構を要しない簡単な構造であるので、点検、修理を定期的に実施しなくても済み、また、故障を生じる虞が少なくなる。これらのことから、エスカレータの不稼動時間を短く抑えることができる。さらに、この第１実施形態は、モータや減速機を含む動力伝達機構を要しない簡単な構造であるので、部品数、部材数を少なく抑えることができる。これにより、製作費を低減させることができる。
【００３２】
また、この第１実施形態は、短手部と長手部を含む回動部材が形状単純なＬ字状レバー３から成るので、製作が簡単で実用性に富む。
【００３３】
さらに、この第１実施形態は、ステップ２等による短手部３ａに対する押圧が解かれた後、ばね部材６の付勢力によってＬ字状レバー３の長手部３ｂをステップ２等の乗客載置面２ａ等から離れる方向に回動させて、Ｌ字状レバー３を瞬時に初期の待機姿勢に復帰させることができる。これにより、連続して走行するステップ２，７等の乗客載置面２ａ，７ａ等を確実に清掃することができる。
【００３４】
図４は本発明の第２実施形態を示す側面図である。
【００３５】
この図４に示す第２実施形態に係るステップ清掃装置は、回動部材がステップ２等の乗客載置面２ａ等を叩打する長手部３ａと、この長手部３ａに連結部３ｃを介して連結する伸縮部材とから成っている。長手部３ａと伸縮部材とによって例えばＬ字形状が形成されている。
【００３６】
伸縮部材は、ステップ２等に形成される乗客載置面２ａ等の走行方向先端部２ｂ等に当接可能な短手部３ａと、この短手部３ａが収容されるシリンダ１０とによって構成されている。シリンダ１０のボトム室に水圧、油圧、空圧等の圧力が供給されたとき、短手部３ａは上方向に伸長し、シリンダ１０のボトム室の圧力が抜かれたときに、短手部３ａは下方向に収縮するように構成されている。
【００３７】
なお、シリンダ１０は、供給された圧力の種類に応じて油圧シリンダ等の液圧シリンダ、あるいは空圧シリンダを設けるようにする。このシリンダ１０は、エスカレータの外部に配置したスイッチに応じて切り換えられる電磁切換弁によって遠隔的操作が可能となるように構成してもよく、また、手動操作される手動切換弁によって作動する構成にしてもよい。
【００３８】
シリンダ１０を、スイッチ及び電磁切換弁を介して操作する構成としたものでは、専門技術者による保守点検作業時に限られることなく、エスカレータが備えられる建物の開店前や閉店後等に、建物側の社員等がスイッチを操作してステップ２等の乗客載置面２ａ等の清掃を容易に行うことができる。
【００３９】
この第２実施形態の他の構成は、前述した第１実施形態と同等である。
【００４０】
このように構成した第２実施形態によれば、ステップ２等の乗客載置面２ａ等に対する清掃時には、シリンダ１０のボトム室に圧力を供給して短手部３ａを伸長させ、図４に示すように、ステップ２等が短手部３ａに当接するように短手部３ａの位置を保てばよい。これにより前述のようにして、ステップ２等の走行に伴って長手部３ａと伸縮部材を含む回動部材が、ばね部材６の付勢力に抗して軸部５を中心にして回動し、長手部３ａがステップ２等の乗客載置面２ａ等を叩打して、この乗客載置面２ａ等に付着した塵埃等を落下除去させることができる。
【００４１】
また非清掃時には、シリンダ１０のボトム室に圧力を供給して短手部３ａを収縮させ、短手部３ａをステップ２等の乗客載置面２ａ等から離れる方向に後退させればよい。これにより、ステップ２等が走行してもステップ２等が短手部３ａに当接することがない。したがって、回動部材が回動して長手部３ｂによってステップ２等の乗客載置面２ａ等が叩打されることがない。すなわち、非清掃時には長手部３ｂによる叩打音を生じさせない環境に保つことができる。その他の作用効果については、前述した第１実施形態と同等である。
【符号の説明】
【００４２】
１    エスカレータ底部
２    ステップ
２ａ  乗客載置面
２ｂ  走行方向先端部
３    Ｌ字状レバー（回動部材）
３ａ  短手部
３ｂ  長手部
３ｃ  連結部
４ａ  支持板（支持体）
４ｂ  支持板（支持体）
５    軸部
６    ばね部材
７    ステップ
７ａ  乗客載置面
１０    シリンダ
【図１】
2012006676.tif 000003
【図２】
2012006676.tif 000004
【図３】
2012006676.tif 000005
【図４】
2012006676.tif 000006
【図５】
2012006676.tif 000007